(57)【特許請求の範囲】
【請求項１】
供給原水の一部を処理して処理水とする薬品注入制御用水処理装置と、
前記薬品注入制御用水処理装置にて処理された処理水を測定する処理水水質計器と、
前記処理水水質計器にて測定された測定値、前記測定値を定められた所定の方式に基づき処理して変換された演算値、及び前記演算値に対する所定の設定値を基に、薬品注入ポンプを制御し選択された薬品を薬品貯蔵槽より供給原水に適量注入し又は供給原水に注入されている薬品を注入停止し若しくは薬品の注入量を変更する演算器と、
前記演算器により薬品が適量注入され又は注入されている薬品が注入停止され若しくは薬品の注入量が変更された供給原水を処理して処理水とする前記薬品注入制御用水処理装置と同一の処理方式の本体水処理装置とを備えることを特徴とする水処理システム。
【請求項２】
前記薬品注入制御用水処理装置及び前記本体水処理装置は、膜ろ過装置であることを特徴とする請求項１に記載の水処理システム。
【請求項３】
前記薬品注入制御用水処理装置及び前記本体水処理装置は、砂ろ過装置であることを特徴とする請求項１に記載の水処理システム。
【請求項４】
前記薬品注入制御用水処理装置及び前記本体水処理装置は、繊維ろ過装置であることを特徴とする請求項１に記載の水処理システム。
【請求項５】
前記薬品注入制御用水処理装置及び前記本体水処理装置は、前処理装置を備えていることを特徴とする請求項１乃至４のいずれかに記載の水処理システム。
【発明の詳細な説明】
【技術分野】
【０００１】
本発明は、凝集剤・吸着剤・酸化剤・還元剤・酸剤・アルカリ剤等の薬品を供給原水に適量注入し、その後に本体水処理装置にて供給原水を処理する水処理システムに関する。
【背景技術】
【０００２】
本体水処理装置単独では除去が困難な除去対象が降雨等の水質変動等により供給原水に含まれると、処理水に除去対象が混入することになる。これを防止するため供給原水又は処理水の水質を測定し、その測定値等を基に供給原水に含まれている除去対象を除去するために凝集剤・吸着剤・酸化剤・還元剤・酸剤・アルカリ剤等の薬品の内の最適な薬品を選択して供給原水に適量注入し、その後に本体水処理装置で薬品が注入されている供給原水を処理する水処理システムが知られている。
【０００３】
従来１の水処理システムとして、図２に示すものが知られている。この水処理システム１０１は、供給原水を供給原水水質計器１１１にて測定し、その測定値を演算器１２１にて順次処理し得られた演算値が演算器１２１に設定されている所定の設定値を超えた場合、薬品注入ポンプ１３２を制御して薬品貯蔵槽１３１に貯蔵されている薬品を供給原水に適量注入し、しかる後にこの供給原水を本体水処理装置１４１で処理するものである（下記特許文献１参照）。
【０００４】
この水処理システム１０１は、供給原水を測定しているので供給原水の水質が変動した場合、薬品の注入を開始する時及び注入を停止する時の判断を容易に行うことができる。しかし、供給原水の測定値を使用しているので、演算器１２１に設定する所定の設定値及び注入演算式を水質が異なる浄水場毎若しくは処理場毎に行う必要があり、この作業は経験に頼るところが大きく、作業者の確保が現在でも難しく、将来的には更に難しくなることが予想されるという不具合点があった。また、本体水処理装置１４１単独で除去することが可能な物質に対しても過剰に薬品が注入されてしまう場合、逆に本体水処理装置１４１単独では除去が困難であるにも拘らず本体水処理装置１４１単独での処理が可能と判断し薬品が注入されない若しくは注入量が不足してしまう場合等、演算器を設定する作業者が異なることで処理水の水質のバラツキや悪化、薬品の無駄等の不具合点があった。更に、除去対象や汚濁物質により供給原水水質計器１１１が汚れることで測定精度が悪化し、薬品注入を開始する時のズレや無注入が生じ、また薬品を適量注入するため演算器１２１にて行う注入量演算に誤差が生じるとの不具合点があり、この不具合点を防止するために供給原水水質計器１１１のメンテナンスを頻繁に行う必要があり、経費や労力が掛かるとの不具合点もあった。
【０００５】
また、別の従来２の水処理システムとして、図３に示すものが知られている。この水処理システム２０１は、処理水を処理水水質計器２１１にて測定し、その測定値を演算器１２１にて順次処理し得られた演算値が演算器１２１に設定されている所定の設定値を超えた場合、薬品注入ポンプ１３２を制御して薬品貯蔵槽１３１に貯蔵されている薬品を供給原水に適量注入し又は供給原水に注入されている薬品を注入停止し若しくは薬品の注入量を変更し、しかる後にこの供給原水を本体水処理装置１４１で処理するものである（下記特許文献２参照）。
【０００６】
この水処理システム２０１は、処理水を測定しているので、供給原水の水質が悪化し本体水処理装置単独では除去対象を処理できない場合に、適正な薬品の注入開始を行うには適している。しかし、供給原水の水質が安定した後において、供給原水に注入されている薬品を注入停止し若しくは薬品の注入量を減少させる時の判断が困難という不具合点があった。更に、本体水処理装置１４１で処理した処理水を測定した測定値を用いて供給原水に対し薬品を適量注入しているので、本体水処理装置１４１で処理している間に供給原水の水質が変わった場合、処理が不完全な処理水が処理水側へ混入する不具合点があった。
【０００７】
また、別の従来３の水処理システムとして、図４に示すものが知られている。この水処理システム３０１は、供給原水を供給原水水質計器１１１にて測定すると共に処理水を処理水水質計器２１１にて測定し、その両測定値を演算器１２１にて順次処理し得られた演算値が演算器１２１に設定されている所定の設定値を超えた場合、薬品注入ポンプ１３２を制御し薬品貯蔵槽１３１に貯蔵されて薬品の内より最適な薬品を選択し供給原水に適量注入し、しかる後にこの供給原水を本体水処理装置１４１で処理するものである（下記特許文献３参照）。
【０００８】
この水処理システム３０１は、薬品注入を開始する時と停止する時の判断を容易に行える。しかし、本体水処理装置１４１で供給原水を処理し処理水とするには一定時間を要するので、供給原水水質計器１１１と処理水水質計器２１１とで同一対象を測定しようとするとタイムラグが生じ、この間に本体水処理装置１４１単独では除去ができない除去対象が供給原水に混入した場合に、処理が不完全な処理水が処理水側へ混入する不具合点があった。また、供給原水水質計器１１１に異常が発生した場合，薬品注入を停止する時の判断を誤る不具合点があった。更に、除去対象や汚濁物質により供給原水水質計器１１１が汚れることで測定精度が悪化し、薬品注入を開始する時にズレや無注入が生じ、また薬品を適量注入するため演算器１２１にて行う注入量演算に誤差が生じるとの不具合点があり、この不具合点を防止するためには供給原水水質計器１１１のメンテナンスを頻繁に行う必要があり、経費や労力が掛かるとの不具合点もあった。更に、水質計器は、特に供給原水側の水質計器は、高価であるにも拘らず制御のために供給原水側と処理水側の両方に設置する必要があり、初期の設備投資費用が高くなると共に、水質計器の個数が増加するのでメンテナンスが煩雑となり、経費と労力が掛かるとの不具合もあった。
【０００９】
更に、別の従来４の水処理システムとして、薬品を注入した供給原水の一部を本体水処理装置とは別の小型水処理装置にて測定し、その測定値を演算器にて順次処理し得られた演算値が演算器に設定されている所定の設定値を超えた場合、薬品注入ポンプを制御して薬品貯蔵槽に貯蔵されている薬品を供給原水に適量注入し、又は薬品注入ポンプを制御し供給原水に注入されている薬品を注入停止し若しくは薬品の注入量を変更し、しかる後にこの供給原水を本体水処理装置で処理する水処理システムが知られている（下記特許文献４参照）。
【００１０】
この水処理システムは、短いタイムラグで薬品の注入量を最適にコントロールし、本体水処理装置で処理している間に供給原水の水質が変わり、処理が不完全な処理水が処理水側へ混入する不具合点の解決を図ったものである。処理水の水質を測定するので処理水の水質が悪化した場合に適正な薬品の注入開始を行うには適している。しかし、薬品が注入されている処理水を測定するので、供給原水の水質が安定した後において供給原水に注入されている薬品を注入停止し若しくは薬品の注入量を変更する時の判断が困難という不具合点があった。更に、薬品を注入した供給原水を小型水処理装置にて処理した処理水を測定しているので、薬品の使用量が多くなるとの不具合点もあった。
【先行技術文献】
【特許文献】
【００１１】
【特許文献１】特開２００７−９８２３６
【特許文献２】特開平１０−１６５９３４
【特許文献３】特開平０７−２９９４７２
【特許文献４】特開平０５−１４６６０８
【発明の概要】
【発明が解決しようとする課題】
【００１２】
本発明は上述の不具合点を解決するためになされたものであって、その目的とするところは、演算器が、水質計器により測定された測定値及び演算器に設定されている所定の設定値等を基に、薬品注入ポンプを制御し供給原水に薬品を注入し又は供給原水に注入されている薬品を注入停止し若しくは薬品の注入量を変更する場合、演算器に設定する所定の設定値等を作業者の経験に頼ることなく設定することができ、演算器に設定値等を設定する作業者が異なっても処理水の水質のバラツキを無くすことができ、薬品の無駄の防止と、確実で良好な処理水質を得ることができる水処理システムを提供することである。
【００１３】
また、別の目的は、供給原水の水質が安定した後において、演算器が、処理水の測定値及び所定の設定値等を基に、薬品注入ポンプを制御し供給原水に注入されている薬品を注入停止し若しくは薬品の注入量を変更することができ、供給原水に注入する薬品の使用量を減少することができる水処理システムを提供することである。
【００１４】
また、別の目的は、演算器が、処理水の測定値及び所定の設定値等を基に、薬品注入ポンプを制御し供給原水に薬品をタイムリーに注入することができ、処理が不完全な処理水が処理水側に混入するのを防止することができる水処理システムを提供することである。
【００１５】
また、別の目的は、水質計器の汚れによる測定精度の悪化を防止し、メンテナンス頻度が少なく、経費や労力を低減することができる水処理システムを提供することである。
【００１６】
また、制御のための水質計器として高価な供給原水水質計器を省くことができ、初期の設備投資を抑制することができる水処理システムを提供することである。
【課題を解決するための手段】
【００１７】
上記目的を達成するため、本発明に係る水処理システムは、供給原水の一部を処理して処理水とする薬品注入制御用水処理装置と、前記薬品注入制御用水処理装置にて処理された処理水を測定する処理水水質計器と、前記処理水水質計器にて測定された測定値、前記測定値を定められた所定の方式に基づき処理して変換された演算値、及び前記演算値に対する所定の設定値を基に、薬品注入ポンプを制御し選択された薬品を薬品貯蔵槽より供給原水に適量注入し又は供給原水に注入されている薬品を注入停止し若しくは薬品の注入量を変更する演算器と、前記演算器により薬品が適量注入され又は注入されている薬品が注入停止され若しくは薬品の注入量が変更された供給原水を処理して処理水とする前記薬品注入制御用水処理装置と同一の処理方式の本体水処理装置とを備えることを特徴とするものである。
【００１８】
また、本発明に係る水処理システムは、前記薬品注入制御用水処理装置及び前記本体水処理装置は、膜ろ過装置又は砂ろ過装置又は繊維ろ過装置のいずれかであることを特徴とするものである。
【００１９】
また、本発明に係る水処理システムは、前記薬品注入制御用水処理装置及び前記本体水処理装置は、前処理装置を備えていることを特徴とするものである。
【発明の効果】
【００２０】
上記構成を備えた本発明の水処理システムによれば、演算器が、薬品注入制御用水処理装置にて処理された処理水の測定値及び所定の設定値等を基に薬品注入ポンプを制御し、選択された薬品を貯蔵されている薬品貯蔵槽より供給原水に適量注入し又は供給原水に注入されている薬品を注入停止し若しくは薬品の注入量を変更するので、演算器に設定する所定の設定値等は処理水についての設定値等となり、作業者は経験に頼ることなく処理水の設定値等を設定することができる。従って、設定値等を演算器に設定する作業者が異なっても本体水処理装置にて処理される処理水の水質のバラツキを無くすことができ、薬品の無駄の防止と確実で良好な処理水質を得ることができる。
【００２１】
更に、本発明の水処理システムは、演算器が、薬品注入前の供給原水の一部を薬品注入制御用水処理装置にて処理した処理水の測定値等を基に薬品注入ポンプを制御し、供給原水に注入されている薬品を注入停止し若しくは薬品の注入量を変更するので、供給原水の水質が安定した後において薬品を注入停止し若しくは薬品の注入量の変更を容易に行うことができ、薬品の使用量の減少を図ることができる。
【００２２】
更に、本発明の水処理システムは、演算器が、薬品注入制御用水処理装置にて処理した処理水を測定した測定値等を基に薬品注入ポンプを制御し、選択された薬品を貯蔵されている薬品貯蔵槽より供給原水に適量注入し又は供給原水に注入されている薬品を注入停止し若しくは薬品の注入量を変更するので、本体水処理装置で処理した処理水を使用するよりタイムラグを短くすることができるので、供給原水の水質が悪化した場合に薬品の注入をタイムリーに行うことができ、処理が不完全な処理水が処理水側に混入するのを防止することができる。
【００２３】
更に、本発明の水処理システムは、薬品注入制御用水処理装置にて処理した処理水を測定するので、水質計器の汚れによる測定精度の悪化を防止し、測定計器について汚れ除去のみを目的としたメンテナンスを不要とし、維持管理費の低減を図ることができる。
【００２４】
更に、制御用の水質計器は、薬品注入制御用水処理装置にて処理された処理水を測定する処理水水質計器だけであり、供給原水側に設置する特に高価な供給原水水質計器を不要とし、初期の設備投資費用を低く抑えることができる。
【図面の簡単な説明】
【００２５】
【図１】本発明に係る水処理システムの概略説明図
【図２】従来１の水処理システムの概略説明図
【図３】従来２の水処理システムの概略説明図
【図４】従来３の水処理システムの概略説明図
【発明を実施するための形態】
【００２６】
以下に図面を参照して、この発明の実施形態に係る水処理システムについて、例示して説明する。
【００２７】
図１は、本発明に係る水処理システムの概略説明図である。本発明に係る水処理システム１は、薬品注入制御用水処理装置１０と、処理水水質計器２０と、演算器３０と、本体水処理装置４０、とを備えている。
【００２８】
薬品注入制御用水処理装置１０は、後述する本体水処理装置４０と同一の処理方式で供給原水をろ過することができる小型の水処理装置である。従って、供給原水が同一であれば、薬品注入制御用水処理装置１０で処理された処理水の水質と、本体水処理装置４０で処理された処理水の水質とは同一となる。本実施形態では、本体水処理装置４０がＵＦ膜の膜ろ過単独装置であるので、薬品注入制御用水処理装置１０もＵＦ膜の膜ろ過単独装置である。尚、本体水処理装置４０が砂ろ過単独装置であれば、薬品注入制御用水処理装置１０も砂ろ過単独装置となり、本体水処理装置４０が前処理装置を有する砂ろ過装置であれば、薬品注入制御用水処理装置１０も前処理装置を有する砂ろ過装置となる。薬品注入制御用水処理装置１０は、除去対象を除去するための薬品が注入される前の供給原水の一部を導入して処理し、処理水は全量が後述する処理水水質計器２０に流入するようになっている。尚、供給原水とは、本発明の水処理システム１に供給される原水の称呼である。従って、雨水等の原水の他に、貯水槽にて沈殿等の前処理が行われた処理水も水処理システム１に導入されるときには供給原水となる。また、水処理装置と本発明の水処理システム１が連結した場合には、前段の水処理装置で処理された処理水でも、後段の水処理システム１に導入されるときには供給原水と称呼が変わる。尚、処理水とは、水処理システム１にて処理された処理水、即ち薬品注入制御処理装置１０若しくは本体処理装置４０で処理された処理水を言う。
【００２９】
処理水水質計器２０は、薬品注入制御用水処理装置１０で処理した処理水の水質を測定する計器で、単数又は複数の計器で構成される。供給原水に、本体水処理装置４０では処理することができない除去対象が含まれているか監視するための監視測定項目は、濁度・色度・紫外線吸光度・電気伝導率・酸化還元電位・ｐＨ値・ＳＴＲ（Ｓｕｃｔｉｏｎ  Ｔｉｍｅ  Ｒａｔｉｏの略で、吸引時間比の意である。）・微粒子等である。従って、処理水水質計器２０は、上述の監視測定項目を測定することができるように複数の計器で通常は構成される。しかし、供給原水に含まれる除去対象が限定され、その除去対象を特定するための監視測定項目を測定できる計器が単数でよい場合には、処理水水質計器２０は単数の計器で構成される。処理水水質計器２０は、流入した処理水を連続して測定し、一定間隔で測定値を演算器に送るようになっている。
【００３０】
演算器３０は、処理水水質計器２０より送られてきた測定値を順次処理して演算値に変換し、演算器３０に事前に設定されている所定の設定値から外れているか否かを判断するようになっている。その結果、ある監視測定項目Ａについての演算値が所定の設定値の範囲外である場合には、監視測定項目Ａにより特定された除去対象Ｂを除去するのに最適な薬品Ｃが貯蔵されている薬品貯蔵槽３１Ｃを選択し、演算器３０に事前に設定されている注入演算式及び供給原水の流量等に基づき除去対象Ｂを除去することが可能な注入量の薬品Ｃを薬品注入ポンプ３２を制御して供給原水に注入するようになっている。また、特定の薬品Ｄが貯蔵されている薬品貯蔵槽３１Ｄより薬品Ｄが注入されている場合であって、演算値が所定の設定値の範囲内にある場合には、薬品注入ポンプ３２を制御して供給原水への薬品Ｄを注入停止するようになっている。更に、特定の薬品Ｅが貯蔵されている薬品貯蔵槽３１Ｅより薬品Ｅが注入されている場合であって、演算値が所定の設定値より範囲外であるが、所定の設定値との差が従前に測定した時より変更になっている場合には、注入演算式に基づき注入されている薬品Ｅの注入量を変更するようになっている。尚、薬品貯蔵槽３１に貯蔵される薬品は、上述の監視測定項目により特定される除去対象を除去するための薬品で、凝集剤・粉末活性炭・次亜塩素酸ナトリウム・オゾン・重亜硫酸ナトリウム・チオ硫酸ナトリウム・硫酸等の酸剤・カセイソーダ等のアルカリ剤等々の薬品であり、それぞれ別々の薬品貯蔵槽３１に貯蔵されているので、薬品貯蔵槽３１は通常は複数で構成されている。しかし、処理水水質計器２０が単数の計器で構成され、その計器が測定する監視測定項目で特定される除去対象が特定の単数で、その除去対象を除去する薬品が単数でよい場合には、薬品貯蔵槽３１は単数で構成される。尚、凝集剤としては、硫酸アルミニウム・ポリ塩化アルミニウム・塩化第二鉄・ポリシリカ鉄等の無機凝集剤、アニオン系高分子凝集剤・カチオン系高分子凝集剤・ノニオン系高分子凝集剤等の有機凝集剤のいずれでも良く、これらの凝集剤を単独若しくは複数で用いても良い。
【００３１】
本体水処理装置４０は、ＵＦ膜の膜ろ過単独装置である。但し、本体水処理装置４０は、供給原水や処理目標水質に対応して変更することができるようになっている。従って、ＭＦ膜若しくＮＦ膜若しくはＲＯ膜のいずれかの膜を使用した膜ろ過単独装置であっても良く、前処理装置を有するＵＦ膜若しくはＭＦ膜若しくＮＦ膜若しくはＲＯ膜のいずれかの膜を使用した膜ろ過装置であっても良い。更に、膜ろ過装置ではなく清澄ろ過若しくは粗ろ過の砂ろ過単独装置であっても良く、更に、前処理装置を有する清澄ろ過若しくは粗ろ過の砂ろ過装置であっても良い。尚、前処理装置とは、凝集単独装置・普通沈殿単独装置・凝集沈澱装置・砂ろ過装置・繊維ろ過装置等をいう。
【００３２】
次に、上記構成からなる水処理システム１において、供給原水に薬品を適量注入し又は供給原水に注入している薬品を注入停止し若しくは薬品の注入量を変更するフローについて説明する。
【００３３】
除去対象を除去するための薬品が注入されていない供給原水は、一部が供給原水本管５０から分岐点５１で分岐している供給原水支管５２に流入し、供給原水支管５２に設置されている薬品注入制御用水処理装置１０を通過することで処理され処理水となる。処理水は、薬品注入制御用水処理装置１０に後続している処理水管５３に設置されている処理水水質計器２０を通過することで、処理水の監視測定項目が連続して測定される。処理水水質計器２０に後続する処理水管５３は、分岐点５１より本体水処理装置側の合流点５４で供給原水本管５０に接続しているので、処理水水質計器２０を通過した処理水は、合流点５４で供給原水本管５０に流入し供給原水と合流するようになっている。尚、処理水水質計器２０を通過した処理水は、図示されていない原水槽へ返送させるか、又は排水として処理しても良い。
【００３４】
処理水水質計器２０で連続して測定された各監視測定項目の測定値は、任意に設定することができる一定の間隔で演算器３０に送付される。演算器３０では、各監視測定項目の測定値を定められた所定の方式に基づき処理して演算値に変換し、演算器３０に事前に設定されている所定の設定値と対比し、設定値の範囲内であるか否かが判断される。
【００３５】
その結果、演算値が設定値の範囲内で、且つ本体水処理装置４０で処理する供給原水に薬品が注入されていない場合には、供給原水には薬品貯蔵庫３１からの薬品は注入されず、薬品の注入されない供給原水が、本体水処理装置４０にて処理され処理水となる。
【００３６】
また、演算値が設定値の範囲内ではあるが、薬品注入ポンプ３２の制御で薬品貯蔵槽３１より特定の薬品が注入されている場合には、薬品注入ポンプ３２が制御され、薬品貯蔵槽３１より注入されている薬品の注入が停止され、薬品の注入が停止された供給原水が、本体水処理装置４０にて処理され処理水となる。
【００３７】
逆に、演算値が設定値の範囲外で、且つ従前は供給原水に薬品が注入されていない場合には、範囲外の監視測定項目により特定された除去対象を除去するのに最適な薬品が貯蔵されている薬品貯蔵槽３１を選択し、演算器３０に事前に設定されている注入演算式に基づいた適量が、合流点５４より本体水処理装置側の接続点５５で供給原水本管５０に接続している薬品導入管５６を通して供給原水に注入され、この薬品が注入された供給原水が、本体水処理装置４０にて処理され処理水となる。
【００３８】
演算値が設定値の範囲外で、範囲外の監視測定項目により特定された除去対象を除去するための薬品が、従前は供給原水に注入ポンプ３２の制御で薬品貯蔵槽３１より注入されている場合には、演算器３０に事前に設定されている注入演算式に基づいた適量が演算され、従前注入されている注入量と対比されて過不足が判断され、過不足が生じた場合には、供給原水本管５０に接続している薬品導入管５６を通して供給原水に注入されている薬品の注入量を変更し、この薬品の注入量が変更された供給原水が、本体水処理装置４０にて処理され処理水となる。
【００３９】
以上の通り、演算器３０が、処理水水質計器２０にて測定された処理水の測定値並びに演算器３０に事前に設定されている所定の設定値及び注入演算式を基に薬品注入ポンプ３２を制御し、選択された薬品を貯蔵されている薬品貯蔵槽３１より供給原水に適量注入し又は供給原水に注入されている薬品を注入停止し若しくは薬品の注入量を変更するので、演算器３０に設定する所定の設定値及び注入演算式を処理水についての設定値及び注入演算式とすることができ、作業者の経験に頼ることなく設定することが可能となる。従って、演算器３０に所定の設定値及び注入演算式を設定する作業者が異なっても処理水の水質のバラツキを無くすことができ、薬品の無駄の防止と確実で良好な処理水質を得ることが可能となる。
【００４０】
また、除去対象を除去するための薬品が注入されていない供給原水を本体水処理装置４０と同一の処理方式である薬品注入制御用水処理装置１０で処理した処理水の測定値並びに所定の設定値及び注入演算式を基に薬品の注入を判断するので、本体水処理装置４０単独では除去できない除去対象の存在を容易に判断することが可能となり、除去対象を除去するための適正な薬品の選択と組合せを容易に行うことが可能となる。
【００４１】
更に、除去対象を除去するための薬品が注入されていない供給原水を薬品注入制御用水処理装置１０で処理した処理水の測定値並びに所定の設定値及び注入演算式を基に演算器３０が判断するので、供給原水に注入されている薬品を供給原水の水質が安定した後に注入停止し若しくは注入量を変更することが可能となり、従って、薬品の使用量を減少することが可能となる。更に、薬品が注入されていない供給原水の一部を薬品注入制御用水処理装置１０で処理した処理水を測定した測定値を用いているので、薬品の使用量を減少することが可能となる。
【００４２】
更に、供給原水の一部を薬品注入制御用水処理装置１０にて処理した処理水を測定した測定値並びに所定の設定値及び演算注入式を基に、薬品注入ポンプ３２を制御し供給原水に薬品を適量注入することを判断するので、本体水処理装置４０の処理水を測定するよりタイムラグが短くなり、供給原水の水質が悪化した場合に薬品をタイムリーに注入することが可能となる。
【００４３】
更に、制御用の水質計器は処理水水質計器２０だけであるので、計器の汚れによる測定精度の悪化が防止され、汚れ除去を目的としたメンテナンスを不要とすることが可能となる。また高価である供給原水水質計器を制御用の水質計器として設置することが不要とするので、初期の設備投資費用を低く抑えることが可能となる。
【００４４】
尚、本実施の形態（図１)では、処理水水質計器２０は単数の計器で構成され、その処理水水質計器２０により特定される除去対象は１種類で、その除去対象を除去する薬品は１種類とし、従って、薬品貯蔵槽３１も単数で構成される場合について説明した。しかし、単数の計器で構成される処理水水質計器２０で複数の除去対象を特定できる場合もあり、この場合には薬品貯蔵槽３１は複数から構成される。また逆に、処理水水質計器２０が複数で構成されていても特定される除去対象は１種類の場合もあり、この場合には薬品貯蔵槽は単数で構成されることもある。従って、処理水水質計器２０及び薬品貯蔵槽３１がそれぞれ単数で構成するか複数で構成するかは、使用条件等を種々検討して適宜決定するのが良い。
【符号の説明】
【００４５】
１        水処理システム
１０      薬品注入制御用水処理装置
２０      処理水水質計器
３０      演算器
３１      薬品貯蔵槽
３２      薬品注入ポンプ
４０      本体水処理装置
５０      供給原水本管
５１      分岐点
５２      供給原水支管
５３      処理水管
５４      合流点
５５      接続点
５６      薬品注入管
【図１】
0005421948.tif 000002
【図２】
0005421948.tif 000003
【図３】
0005421948.tif 000004
【図４】
0005421948.tif 000005